(57)【要約】【課題】防振弾性体とこれを受容するケースとの接触を遮断して床衝撃音を改善することのできる防振支持具を提供すること。【解決手段】スラブＳとの間に空間を形成した状態で二重床の床パネルＰが配置されている。床パネルＰを支持する防振支持具１０は、支持脚１１を支承する防振弾性体１２と、これを受容するケース１３とからなる。ケース１３はスラブＳにねじ２５で固定され、防振弾性体１２は、ケース１３内で飛び跳ね可能に支持されている。【選択図】　　　　　図１
2004052341.tif 000002
【特許請求の範囲】
【請求項１】
スラブと、当該スラブの上方に位置する床パネルとの間に配置される二重床用の防振支持具であって、
前記床パネルの下面側に位置する支持脚を支承する防振弾性体と、当該防振弾性体を受容するとともに前記スラブに固定される支持部材とを含み、
前記防振弾性体は、前記支持部材内で上下方向に移動可能に支持されていることを特徴とする防振支持具。
【請求項２】
前記支持部材は、上方に向かうに従って次第に大径若しくは幅広となる内面を備えたケースにより構成される一方、前記防振弾性体は、下方に向かうに従って次第に小径若しくは幅狭となる外面を備えて構成され、
前記防振弾性体は、前記床パネルに衝撃が加えられたときに、前記支持部材内で飛び跳ね可能に設けられていることを特徴とする請求項１記載の防振支持具。
【請求項３】
前記防振弾性体と支持部材との接触面間に潤滑剤が介装されていることを特徴とする請求項１又は２記載の防振支持具。
【請求項４】
前記防振弾性体及び又は支持部材には、これら防振弾性体と支持部材の間に通じる通路が形成されていることを特徴とする請求項１，２又は３記載の防振支持具。
【請求項５】
前記防振弾性体は圧縮力を受ける領域と剪断力を受ける領域とを備えていることを特徴とする請求項１，２，３又は４記載の防振支持具。
【請求項６】
前記支持部材は、略Ｌ型の金具を複数組み合わせて構成されていることを特徴とする請求項１記載の防振支持具。
【請求項７】
前記支持部材は、横方向に長い一個部材により構成され、前記防振弾性体は、前記支持部材の延出方向に沿って複数配置されることを特徴とする請求項１，２，３，４又は５記載の防振支持具。
【発明の詳細な説明】
【０００１】
【発明の属する技術分野】
本発明は、防振支持具に係り、更に詳しくは、二重床における床パネルから躯体への振動伝播を低減することのできる防振支持具に関する。
【０００２】
【従来の技術】
従来より、スラブからなる躯体の上面側複数箇所に防振支持具を配置し、これらの防振支持具に床パネルを支持させて躯体との間に一定の空間を形成するようにした二重床が知られている。この二重床に用いられる防振支持具としては、床パネルの下面側を支えるボルト等からなる支持脚と、この支持脚の下部領域に設けられたゴム等からなる防振弾性体とを備えたタイプのものが存在する。
【０００３】
【発明が解決しようとする課題】
しかしながら、前記防振弾性体は、スラブと床パネルとを振動的に結合した状態にあり、防振弾性体の共振特性、減衰特性に応じてスラブへの伝播エネルギーが決定され、床衝撃音が決定されるものとなっている。このような防振弾性体は、スラブに対して接着剤を用いて接着されていない状態では、大きな振動エネルギーが加えられたときに、スラブから浮き上がって非接触状態になるが、この際に、床パネルが水平方向に移動したり、防振弾性体の圧縮方向に二次加振が発生したりして好ましくないために接着をせざるを得ない。
【０００４】
この一方、防振弾性体を接着剤でスラブに接着した場合には、スラブ材料がコンクリートであることから、異種材料間の接着となり、十分な接着強度を得ることができないという不都合がある。しかも、接着を行う場合、接着剤の硬化に時間を要することとなり、施工性が悪く、このため、人体に有害な有機溶剤を用いた接着剤を使用しなければならないという不都合を招来する。
【０００５】
【発明の目的】
本発明は、このような不都合に着目して案出されたものであり、その目的は、防振弾性体の接着を必要とすることがなく、所定の支持部材に受容された状態で上下に相対移動可能に設けて床衝撃音を改善することのできる防振支持具を提供することにある。
【０００６】
また、本発明の他の目的は、二重床の施工時に、スラブ上に配置された防振支持具の安定性を保って転倒し難くすることのできる防振支持具を提供することにある。
【０００７】
【課題を解決するための手段】
前記目的を達成するため、本発明は、スラブと、当該スラブの上方に位置する床パネルとの間に配置される二重床用の防振支持具であって、
前記床パネルの下面側に位置する支持脚を支承する防振弾性体と、当該防振弾性体を受容するとともに前記スラブに固定される支持部材とを含み、
前記防振弾性体は、前記支持部材内で上下方向に移動可能に支持される、という構成を採っている。このような構成とすれば、振動が加えられたときに、支持部材がスラブに固定された状態にあるので、防振弾性体が上下方向に相対移動するようになり、当該防振弾性体が上方へ移動しているときには振動を絶縁、遮断してスラブへの振動伝播を効果的に抑制して床衝撃音を改善することができる。しかも、支持部材がスラブに固定されているため、振動によって支持部材がスラブ面を叩いてしまうことがない他、床パネルを施工する際に防振支持具が転倒してしまう虞も回避することが可能となり、施工性を良好に改善することもできる。
【０００８】
【発明の実施の形態】
本発明における支持部材は、上方に向かうに従って次第に大径若しくは幅広となる内面を備えたケースにより構成される一方、前記防振弾性体は、下方に向かうに従って次第に小径若しくは幅狭となる外面を備えて構成され、
前記防振弾性体は、前記床パネルに衝撃が加えられたときに、前記支持部材内で飛び跳ね可能に設けられる、という構成を採ることが好ましい。このような構成とすれば、防振弾性体が飛び跳ねたときに、当該防振弾性体と支持部材若しくはスラブとが非接触な状態、すなわち、振動伝播経路を遮断した状態となり、床パネルに加えられた衝撃によるスラブ側への振動伝播を確実に抑制することができる。
【０００９】
また、前記防振弾性体と支持部材との接触面間に潤滑剤を介装するとよい。このような構成とすれば、防振弾性体と支持部材との相対移動がスムースに許容されるようになり、両者の擦れ合いによって生じ得る音の発生も回避することができる。
【００１０】
更に、前記防振弾性体及び又は支持部材に、これら防振弾性体と支持部材の間に通じる通路を設けるとよい。このような構成では、防振弾性体と支持部材との間に閉塞された空間が形成される構成としても、空間内の圧力を一定に保った状態で防振弾性体のスムースなる移動が許容される。
【００１１】
また、前記防振弾性体は圧縮力を受ける領域と剪断力を受ける領域とを備えたものを採用することが好ましい。これによれば、軽量床衝撃音に対して防振弾性体が圧縮変形によって対応できる一方、重量床衝撃音に対して剪断変形によって対応可能となり、防振特性を効果的に発揮させることができる。
【００１２】
更に、前記支持部材は、略Ｌ型の金具を複数組み合わせることにより構成することもできる。このような構成では、例えば、市販部品を利用して防振弾性体を支持することもできるようになり、専用部品を用いる場合に比べてコストの低廉化を図ることができる。
【００１３】
また、前記支持部材は、横方向に長い一個部材により構成され、前記防振弾性体は、前記支持部材の延出方向に沿って複数配置される、という構成としてもよい。これにより、支持部材の共用化が図れて部品点数の削減を達成できる他、防振弾性体を配置する位置も容易に特定可能となる。
【００１４】
以下、本発明に係る防振支持具が二重床に適用された実施例について図面を参照しながら説明する。
【００１５】
［第１実施例］
図１及び図２に示されるように、躯体を構成するコンクリート製のスラブＳと、このスラブＳの上面に設置された防振支持具１０と、当該防振支持具１０に支持された床パネルＰとにより二重床が形成されている。ここで、本実施例における床パネルＰは、特に限定されるものではないが、下地パネルＰ１と、フローリング等からなる仕上げパネルＰ２とからなる複層構造体によって構成されている。
【００１６】
前記防振支持具１０は、床パネルＰの下面側に位置する支持脚１１と、この支持脚１１を支える防振弾性体１２と、当該防振弾性体１２を受容する支持部材としてのケース１３とを構えて構成されている。
【００１７】
支持脚１１は、上下方向に軸線が向けられたナット部材１１Ａと、このナット部材１１Ａの上端側からねじ込まれて上下方向に進退可能なボルト１１Ｂとからなり、このボルト１１Ｂの上端に、前記床パネルＰの下面に接する受け板２０が設けられている。
【００１８】
前記防振弾性体１２は、本実施例ではゴムにより構成されている。この防振弾性体１２は、ナット部材１１Ａ回りに位置する内周弾性部２１と、この内周弾性部２１の外周に位置する外周弾性部２２とを備え、その縦断面形状が、反転した略錐体形状を呈するように設けられている。内周弾性部２１は、上面側におけるナット部材１１Ａ回りに屈曲部２１Ａを経て外側下向きに延びる上傾斜面部２１Ｂと、下面側中央部に設けられた下平面部２１Ｃと、この下平面部２１Ｃの外周から外側下向きに延びて前記上傾斜面部２１Ｂと略平行に延びる下傾斜面部２１Ｄとからなる。この一方、外周弾性部２２は、上端が前記上傾斜面部２１Ｂよりも若干上方に突出した延長部２２Ａを備えた形状に設けられているとともに、下方に向かうに従って次第に小径に設けられて外周面２２Ｂがテーパ面となる形状に設けられている。
【００１９】
前記防振弾性体１２は、前述したように、反転した略錐体形状に設けることで、傾斜方向に沿って圧縮力を受ける領域と、支持脚１１の軸方向に沿って剪断力を受ける領域とが内在されたものとなり、軽量床衝撃音及び重量床衝撃音の双方に対応できることとなる。また、内周弾性部２１において、外周弾性部２２より若干内側部分には、防振弾性体１２とケース１３との間に形成される空間Ｃに通じる通路２４が形成され、これにより、空間Ｃ内の圧力が大気圧に保たれるようになっている。なお、通路２４は、ケース１３の周壁２７に設けてもよく、また、防振弾性体１２とケース１３の双方に通路を設けることも妨げない。
【００２０】
前記ケース１３はねじ２５を介してスラブＳに固定される。このケース１３は、スラブＳへの設置面をなす略円盤状の底壁２６と、この底壁２６の外周から起立する周壁２７とからなり、上端を開放した略鉢型をなす外形に設けられている。すなわち、周壁２７は、上方に向かうに従って次第に大径となる内面２７Ａを備えた形状に設けられている。この周壁２７の下端内径寸法は、前記外周弾性部２２の下端外径寸法よりも小さく設定されている一方、周壁２７の上端内径寸法は、外周弾性部２２の上端外径寸法よりも大きく設定されている。従って、防振弾性体１２は、ケース１３内に受容された状態で、外周弾性部２２の下端が前記底壁２６よりも一定高さ位置に保たれるようになる。なお、周壁２７は、防振弾性体１２が加振によって飛び跳ねても、ケース１３外に脱出しない高さに設けられている。
【００２１】
以上の防振支持具１０を使用するときは、スラブＳ上の所定位置にケース１３をねじ２５で固定し、ケース１３内に、支持脚１３を支承した防振弾性体１２を受容させる。この際、防振弾性部１２とケース１３との相互接触面、すなわち、前記外周弾性部２２の外周面２２Ｂと、ケース１３における周壁２７の内面２７Ａに適宜な潤滑剤を塗布しておき、前記外周面２２Ｂと内面２７Ａとの相対滑りをスムースに行えるようにしておくとよい。そして、前記受け板２０の高さをボルト１１Ｂのねじ込み量によって調整する。ここで、ケース１３の底壁２６とスラブＳとの面を接着剤で相互に接着する手法も併用でき、これにより、ケース１３の固定強度を更に高めるようにすることも可能である。このように防振支持具１０を配置した状態で、各防振支持具１０上に床パネルＰを配置して二重床を形成することができる。
【００２２】
前記防振支持具１０において、床パネルＰに対して軽量床衝撃源によって加振されたときには、防振弾性体１２が圧縮変形してこれに対応する一方、重量床衝撃源によって加振されたときに剪断方向に変形することでスラブＳへの振動伝播を緩和することとなる。特に、重量床衝撃源による大きな振動エネルギーが防振支持具１０に作用したときに、防振弾性体１２は、図１中二点鎖線で示されるようにケース１３内で飛び跳ねるようになり、このとき、ケース１３の周壁２７との間に非接触となる隙間を形成して振動伝播経路を遮断し、振動エネルギーを吸収して床衝撃音を飛躍的に改善することとなる。
【００２３】
防振弾性体１２が飛び跳ねて再び元の位置に着地するときは、前述した潤滑剤の塗布によって外周弾性部２２の外周面２２Ｂは周壁２７の内面２７Ａ上をスムースに滑るように着地するため、両者の相対的な擦れによる不快音の発生も防止される。また、空間Ｃ内に通じる通路２４が防振弾性体１２に設けられているので、空間Ｃ内の圧力が加圧されることもなく、防振弾性体１２の飛び跳ね後の再着地も支障なく行われる。
【００２４】
従って、このような実施例によれば、防振弾性体１２が飛び跳ねてケース１３に対して非接触な状態を形成するため、振動の伝播経路を遮断して床衝撃音を改善することができる。また、防振弾性体１２が飛び跳ねても自重によって元の位置に着地して戻るため、横方向への移動が規制され、床パネル全体が水平移動して壁面に当るようなことも確実に防止することができる。
【００２５】
次に、本発明の前記以外の実施例について説明する。なお、以下の説明において、前記第１の実施例と同一若しくは同等の構成部分については、必要に応じて同一符号を用いるものとし、説明を省略若しくは簡略にする。
【００２６】
［第２実施例］
図３及び図４には、本発明の第２の実施例が示されている。この実施例は、防振弾性体１２における外周弾性部２２の形状を異ならせたところに特徴を有する。すなわち、外周弾性部２２は、その外周面２２Ｂが略鉛直方向に位置するように円筒形状に設けられ、当該外周弾性部２２が上方からの衝撃に対して圧縮力を受ける領域として作用し、内周弾性部２１が剪断力を受ける領域として作用するようになっている。
【００２７】
また、ケース１３は、略リング状をなしてねじ２５によりスラブＳ上に固定される底壁２６と、この底壁２６の内周から起立する周壁２７とにより構成されている。その他の構成は、実質的に、前記第１の実施例と略同様となっている。
【００２８】
この第２の実施例においても、防振弾性体１２は上方に飛び跳ねてスラブＳに対して非接触な位置に移動して両者の接触状態を遮断し得るため、第１の実施例と同様に振動伝播を効果的に抑制して床衝撃音レベルを改善することができる。
【００２９】
［第３実施例］
図５には、本発明の第３の実施例が示されている。この実施例は、第１の実施例の変形的態様であり、防振弾性体１２の形状を末広がりの略門型形状とする一方、ケース１３をこれに対応した略Ｕ字型形状に設けたところに特徴を有する。すなわち、防振弾性体１２は、平面視略方形の内側弾性部３０と、この内側弾性部３０の両端に連なって下方傾斜方向に延びる外側弾性部３１とにより構成されている。この外周弾性部３１の外面すなわちケース１３との接触面は、下方に向かうに従って次第に幅狭くなる傾斜面とされている。この一方、ケース１３は、スラブＳにねじ２５で固定される方形の底壁３２と、この底壁３２の両側に連なって前記外側弾性部３１の下端側を支持する側壁３４とにより構成され、この側壁３４は、上方に向かうに従って次第に幅広くなる内面を備えて構成されている。
【００３０】
このような実施例によっても防振支持具１０は、前記各実施例と同様に作用することとなり、振動を効果的に吸収することができる。なお、この実施例によれば、防振弾性体１２とケース１３との間の空間Ｃは閉塞されないため、防振弾性体１２に通路を設ける必要性を無くすことができる。
【００３１】
［第４実施例］
図６及び図７には、本発明の第４の実施例が示されている。この実施例は、第２の実施例で示した防振弾性体１２を用い、三個のＬ型金具４０を組み合わせてケースを形成するようにしたところに特徴を有する。すなわち、Ｌ型金具４０は、それらの起立面４０Ａが平面視で相互に直交する向きとなるように配置して防振弾性体１２を囲むように設けられている。このような実施例によっても、防振弾性体１２が上下方向に移動することができる。なお、Ｌ型金具４０の組み合わせ位置は、図示例に限定されるものではなく、防振弾性体１２の外周面に起立面４０Ａが略接する相対位置で囲むように配置されていればよい。
【００３２】
［第５実施例］
図８には、本発明の第５の実施例が示されている。この実施例は、前記第２の実施例で示した防振弾性体１２と同様のものを用い、長手方向に延びる一個部材からなるレール５０を用いてケースをしたところに特徴を有する。レール５０は、その断面形状が上向きコ字状をなす通路５１を備えて構成され、この通路５１の短寸方向幅は、防振弾性体１２の上下方向移動を許容し得るように、略同一の外径を備えて構成されている。従って、このような実施例によっても、振動伝播を効果的に抑制できる他、一個部材のレール５０によって、複数個の防振弾性体１２を同時に支持することができ、部品点数の削減が図れる更なる効果を付加することができる。
【００３３】
【発明の効果】
以上説明したように、本発明によれば、防振弾性体が、スラブに固定される支持部材内で上下方向に移動可能に支持される構成とされているから、当該防振弾性体により振動が吸収されてスラブへの振動伝播を効果的に抑制でき、二重床における床衝撃音を改善できるという従来にない優れた作用、効果を奏することができる。
【００３４】
特に、ケースが上方に向かうに従って次第に大径若しくは幅広となる内面を備え、防振弾性体が下方に向かうに従って次第に小径若しくは幅狭となる外面を備える構成とし、防振弾性体が支持部材内で飛び跳ね可能に設けられた構成では、当該防振弾性体と支持部材とが非接触な状態、すなわち、振動伝播経路を遮断した状態となり、床パネルに加えられた衝撃によるスラブ側への振動伝播を確実に抑制することができる。
【００３５】
また、前記防振弾性体と支持部材との接触面間に潤滑剤を介装した構成では、防振弾性体と支持部材との相対移動がスムースに許容されるようになり、両者の擦れ合いによって生じ得る音の発生も回避することができる。
【００３６】
更に、前記防振弾性体及び又は支持部材の通路により、防振弾性体と支持部材との間の空間が大気に開放される状態となり、空間内の圧力を一定に保った状態で防振弾性体のスムースなる移動も許容されることとなる。
【００３７】
また、前記防振弾性体が圧縮力を受ける領域と剪断力を受ける領域とを備えたものによって構成されているから、軽量床衝撃音と重量床衝撃音の双方に対して床衝撃音レベルを低下させることができる。
【００３８】
更に、前記支持部材を複数の部材の組み合わせにより構成した場合には、例えば、市販のＬ型金具等を利用して防振弾性体を支持することもできるようになり、コストの低廉化を図ることができる。
【００３９】
また、前記支持部材を横方向に長い一個部材により構成して当該支持部材に防振弾性体を複数配置可能とした構成では、支持部材の共用化が図れて部品点数の削減を行える他、防振弾性体を配置する位置も容易に特定可能となる。
【図面の簡単な説明】
【図１】本発明の第１の実施例に係る防振支持具の概略断面図。
【図２】前記防振支持具の概略斜視図。
【図３】第２の実施例に係る防振支持具の概略断面図。
【図４】第２の実施例に係る防振支持具の概略斜視図。
【図５】第３の実施例に係る防振支持具の概略斜視図。
【図６】第４の実施例に係る防振支持具の概略斜視図。
【図７】図６の平面図。
【図８】第５の実施例に係る防振支持具の概略斜視図。
【符号の説明】
１０…防振支持具、１１…支持脚、１２…防振弾性体、１３…ケース（支持部材）、２２Ｂ…外周面、２４…通路、２７Ａ…内面、Ｃ…空間、Ｓ…スラブ、Ｐ…床パネル
【図１】
2004052341.tif 000003
【図２】
2004052341.tif 000004
【図３】
2004052341.tif 000005
【図４】
2004052341.tif 000006
【図５】
2004052341.tif 000007
【図６】
2004052341.tif 000008
【図７】
2004052341.tif 000009
【図８】
2004052341.tif 000010